(57)【要約】【課題】保護フィルムの剥離時における光学機能面の保護性を高めることを可能にした光学部品包装体を提供する。【解決手段】光学構造１１Ａ１が形成された光学機能面１１Ｓ１を有する光学部品１１と、光学構造１１Ａ１に密着し、光学部品１１に貼り着けられた保護フィルム１２とを備え、光学部品１１は、光学機能面１１Ｓ１とは反対側に位置する面である裏面１１Ｓ２を備え、保護フィルム１２は、裏面１１Ｓ２に貼り着けられ、裏面１１Ｓ２と保護フィルム１２との密着する強度は、光学構造１１Ａ１と保護フィルム１２との密着する強度よりも高い。【選択図】図１
2016141471.tif 000002
【特許請求の範囲】
【請求項１】
光学構造が形成された光学機能面を有する板状の光学部品と、
前記光学機能面に接する保護フィルムと、
を備え、
前記光学部品は、前記光学機能面とは反対側に位置する面である被貼着面を備え、
前記保護フィルムは、前記被貼着面に貼り着けられ、
前記被貼着面と前記保護フィルムとの密着する強度は、前記光学機能面と前記保護フィルムとの密着する強度よりも高い
光学部品包装体。
【請求項２】
光学構造が形成された光学機能面を有する板状の光学部品と、
前記光学機能面に接する保護フィルムと、
を備え、
前記光学部品は、
前記光学機能面とは反対側に位置する面である裏面と、
前記光学機能面と前記裏面とを繋ぐ面である側面とを備え、
前記裏面、および、前記側面の少なくとも一方が被貼着面であり、
前記保護フィルムは、前記被貼着面に貼り着けられ、
前記被貼着面と前記保護フィルムとの密着する強度は、前記光学機能面と前記保護フィルムとの密着する強度よりも高い
光学部品包装体。
【請求項３】
前記被貼着面は、前記側面である
請求項２に記載の光学部品包装体。
【請求項４】
光学構造が形成された光学機能面を有する板状の光学部品と、
前記光学機能面に接する保護フィルムと、
を備え、
前記光学部品は、前記光学機能面とは反対側に位置する面である裏面を備え、
前記保護フィルムは、前記裏面において重なる重畳部を備え、
前記重畳部において前記保護フィルム同士の密着する強度は、前記光学機能面と前記保護フィルムとの密着する強度よりも高い
光学部品包装体。
【請求項５】
前記光学部品の引張り弾性率は、０．３ＧＰａ以上である
請求項１から４のいずれか一項に記載の光学部品包装体。
【請求項６】
前記光学部品の引張り弾性率は、１．０ＧＰａ以上である
請求項１から５のいずれか一項に記載の光学部品包装体。
【請求項７】
前記光学構造において凹凸の繰り返される周期は、前記光学部品の使用環境下における光の波長以下である
請求項１から６のいずれか一項に記載の光学部品包装体。
【請求項８】
前記光学構造は、反射防止機能を有する
請求項１から７のいずれか一項に記載の光学部品包装体。
【発明の詳細な説明】
【技術分野】
【０００１】
本発明は、光学機能面を有した光学部品と、光学機能面を保護する保護フィルムとを備える光学部品包装体に関する。
【背景技術】
【０００２】
上述した光学部品包装体の備える光学部品において、微細凹凸構造が形成された凹凸部と、微細凹凸構造が形成されていない非凹凸部とは、微細凹凸構造と対向する方向から見て、１つの光学機能面に位置している。光学部品包装体の備える保護フィルムは、微細凹凸構造を覆い、かつ、非凹凸部に貼り着けられている（例えば、特許文献１から３参照）。非凹凸部に貼り着けられる上記保護フィルムには、光学部品包装体の搬送時や保管時には剥がれない一方で、光学部品の利用時には容易に剥がれることが求められる。こうした保護フィルムに対する要請に応えるため、光学部品包装体においては、凹凸部に対する保護フィルムの密着強度を、非凹凸部に対する保護フィルムの密着強度よりも小さく設定する技術が提案されている。
【先行技術文献】
【特許文献】
【０００３】
【特許文献１】特開２０１０−１０７８５８号公報
【特許文献２】特開２０１０−１２０３４８号公報
【特許文献３】特開２０１３−１３０８９５号公報
【発明の概要】
【発明が解決しようとする課題】
【０００４】
しかしながら、光学部品の有する１つの面においては、凹凸部と非凹凸部とが隣り合うため、非凹凸部から保護フィルムが剥がされる際に、保護フィルムを把持する利用者の指などが凹凸に触れ、凹凸部の有する光学機能を低下させる場合がある。それゆえに、上述した光学部品包装体においては、保護フィルムの剥離時における光学機能面の保護性を高めることが望まれている。
本発明は、保護フィルムの剥離時における光学機能面の保護性を高めることを可能にした光学部品包装体を提供することを目的とする。
【課題を解決するための手段】
【０００５】
上記課題を解決するために、光学部品包装体は、光学構造が形成された光学機能面を有する板状の光学部品と、前記光学機能面に接する保護フィルムとを備える。そして、前記光学部品は、前記光学機能面とは反対側に位置する面である被貼着面を備え、前記保護フィルムは、前記被貼着面に貼り着けられ、前記被貼着面と前記保護フィルムとの密着する強度は、前記光学機能面と前記保護フィルムとの密着する強度よりも高い。
【０００６】
上記課題を解決するために、光学部品包装体は、光学構造が形成された光学機能面を有する板状の光学部品と、前記光学機能面に接する保護フィルムとを備える。前記光学部品は、前記光学機能面とは反対側に位置する面である裏面と、前記光学機能面と前記裏面とを繋ぐ面である側面とを備え、前記裏面、および、前記側面の少なくとも一方が被貼着面である。そして、前記保護フィルムは、前記被貼着面に貼り着けられ、前記被貼着面と前記保護フィルムとの密着する強度は、前記光学機能面と前記保護フィルムとの密着する強度よりも高い。
上記光学部品包装体において、前記被貼着面は前記側面であってもよい。
【０００７】
上記課題を解決するために、光学部品包装体は、光学構造が形成された光学機能面を有する板状の光学部品と、前記光学機能面に接する保護フィルムとを備える。前記光学部品は、前記光学機能面とは反対側に位置する面である裏面を備え、前記保護フィルムは、前記裏面において重なる重畳部を備える。そして、前記重畳部において前記保護フィルム同士の密着する強度は、前記光学機能面と前記保護フィルムとの密着する強度よりも高い。
上記光学部品包装体において、前記光学部品の引張り弾性率は、０．３ＧＰａ以上であることが好ましい。
上記光学部品包装体において、前記光学部品の引張り弾性率は、１．０ＧＰａ以上であることが好ましい。
上記光学部品包装体において、前記光学構造において凹凸の繰り返される周期は、前記光学部品の使用環境下における光の波長以下であってもよい。
上記光学部品包装体において、前記光学構造は、反射防止機能を有してもよい。
【発明の効果】
【０００８】
本発明の光学部品包装体によれば、保護フィルムの剥離時における光学機能面の保護性が高められる。
【図面の簡単な説明】
【０００９】
【図１】図１は、本発明における光学部品包装体を具体化した一実施形態における光学部品包装体の斜視構造を示す斜視図である。
【図２】図２は、第１変形例の光学部品包装体の断面構造を示す断面図である。
【図３】図３は、第２変形例の光学部品包装体の断面構造を示す断面図である。
【図４】図４は、第３変形例の光学部品包装体の断面構造を示す断面図である。
【図５】図５は、第４変形例の光学部品包装体の断面構造を示す断面図である。
【図６】図６は、第５変形例の光学部品包装体の断面構造を示す断面図である。
【図７】図７は、第６変形例の光学部品包装体の断面構造を示す断面図である。
【発明を実施するための形態】
【００１０】
図１を参照して一実施形態における光学部品包装体を説明する。
図１が示すように、光学部品包装体は、光学部品１１と、光学部品１１を保護するための保護フィルム１２とを備えている。光学部品１１は、矩形の板形状を有し、光学機能面１１Ｓ１と、光学機能面１１Ｓ１とは反対側の面である裏面１１Ｓ２とを備えている。
【００１１】
光学機能面１１Ｓ１は、図１においてドットが付された矩形領域に、微細な凹凸構造である光学構造１１Ａ１を有し、光学構造１１Ａ１の周囲は、凹凸が形成されていない領域である平坦部１１Ａ２である。光学部品１１は、光学機能面１１Ｓ１と裏面１１Ｓ２とを繋ぐ平面である側面１１Ｓ３をさらに備えている。光学部品１１の側面１１Ｓ３は、互いに向い合う２つの平面を２組み備えている。
【００１２】
保護フィルム１２は、光学機能面１１Ｓ１と対向する被覆部１２Ａを備え、被覆部１２Ａは、光学構造１１Ａ１を構成する凸部の先端に接し、かつ、平坦部１１Ａ２に接している。保護フィルム１２は、光学機能面１１Ｓ１の縁から側面１１Ｓ３における１組の平面に沿って折り曲げられ、さらに、側面１１Ｓ３の縁から裏面１１Ｓ２に沿って折り曲げられている。
【００１３】
保護フィルム１２は、裏面１１Ｓ２と対向する２つの貼着端部１２Ｂを備え、２つの貼着端部１２Ｂの各々において裏面１１Ｓ２と対向する面には、被貼着面の一例である裏面１１Ｓ２に対する粘着性を有した粘着層１２Ｔが備えられている。２つの粘着層１２Ｔの各々は、貼着端部１２Ｂと裏面１１Ｓ２とに貼り着けられ、保護フィルム１２と裏面１１Ｓ２との密着する強度を、保護フィルム１２と光学機能面１１Ｓ１との密着する強度よりも高める。これによって、保護フィルム１２は光学部品１１に対して位置決めされている。
【００１４】
光学機能面１１Ｓ１は、光学構造１１Ａ１によって光学的な機能を発現させる面である。光学構造１１Ａ１が発現させる光学的な機能には、例えば、光の反射を抑える反射防止機能、光を散乱させる散乱機能、および、光を回折させる回折機能のなかの少なくとも１つが挙げられる。
【００１５】
光学構造１１Ａ１は、例えば、複数の凸部、あるいは、複数の凹部が周期的に繰り返される周期構造体であってもよいし、複数の凸部、あるいは、複数の凹部が無秩序に並ぶ非周期構造体であってもよい。周期構造体は、例えば、モスアイ（登録商標）構造、あるいは、プラズモニック構造である。
【００１６】
光学構造１１Ａ１が備える凸部は、例えば、円錐形状、角錐形状、線状突条、および、格子突条である。光学構造１１Ａ１が備える凹部は、例えば、円錐孔、角錐孔、線状溝、および、格子状溝である。
【００１７】
反射防止機能を有する光学構造１１Ａ１において凸部の平均間隔、あるいは、凹部の平均間隔は、例えば、光学部品１１の使用環境下における光の波長以下である。例えば、反射防止の対象が可視光であるとき、凸部の平均間隔、あるいは、凹部の平均間隔は、可視光の波長以下である。こうした構造を有する光学構造１１Ａ１であれば、空気の屈折率から光学部品１１を構成する材料の屈折率にまで、連続的に屈折率が増えることによる有効な反射抑制の機能が発現される。光学構造１１Ａ１において凸部の平均間隔は、数μｍ以下が好ましく、５５０ｎｍ以下がより好ましく、３００ｎｍ以下がさらに好ましい。
【００１８】
光学構造１１Ａ１における凸部の平均間隔、光学構造１１Ａ１における凹部の平均間隔、光学構造１１Ａ１における凸部あるいは凹部の並びは、例えば、フーリエ変換像に基づいて定められる。フーリエ変換像は、光学機能面１１Ｓ１の二次元画像である原画像から二次元の高速フーリエ変換を通じて得られる。光学機能面１１Ｓ１の原画像は、光学機能面１１Ｓ１に対向する平面視から得られる画像であって、光学機能面１１Ｓ１の広がる二次元の座標系において段差の大きさを輝度などによって示す画像である。光学機能面１１Ｓ１の二次元画像である原画像は、光学機能面１１Ｓ１と対向する平面視において、例えば、原子間力顕微鏡による測定、走査型電子顕微鏡による測定、接触式段差計による測定などによって得られる。
【００１９】
上述した画像処理に用いられる原画像は、光学機能面１１Ｓ１の一部である任意に選択される矩形部分を示す。高速フーリエ変換を用いた原画像の波形分離によれば、原画像に基づくフーリエ変換像が得られ、フーリエ変換像における０次ピークと１次ピークとの間の距離が求められる。０次ピークと１次ピークとの間の距離の逆数は、一つの矩形部分において、凸部の平均間隔、あるいは、凹部の平均間隔として取り扱われる。
【００２０】
光学部品１１は、板形状を有する部品であり、光学部品１１が有する厚みは、例えば、０．５ｍｍ以上５ｍｍ以下であり、光学部品１１が有する引張り弾性率は、例えば、０．３ＧＰａ以上であり、より好ましくは、１．０ＧＰａ以上である。なお、光学部品１１が有する厚みや光学部品１１が有する引張り弾性率は、保護フィルム１２の貼り着けによって光学部品１１が機械的に変形しない範囲であって、かつ、保護フィルム１２の貼り着けが保たれる範囲の中から適宜選択される。
【００２１】
保護フィルム１２が有する厚みは、例えば、１μｍ以上０．１ｍｍ以下である。保護フィルム１２が有する厚みや保護フィルム１２が有する引張り弾性率は、光学部品１１に機械的な変形を与えない範囲であって、かつ、保護フィルム１２の貼り着けが保たれる範囲の中から適宜選択される。粘着層の有する厚みは、例えば、１μｍ以上５０μｍ以下である。
【００２２】
光学部品１１を形成する材料は、光学機能面１１Ｓ１において光学的な機能を発現する材料あれば特に限定されない。散乱機能や回折機能が求められる光学部品１１においては、光透過性の高い材料が好ましく、JIS K 7361-1 で規定された全光線透過率が８５％以上の材料を用いることが好ましい。光透過性の高い材料には、ポリカーボネート系樹脂、ポリテトラフルオロエチレンやポリクロロトリフルオロエチレンなどのフッ素系樹脂、ポリエチレン系樹脂やポリプロピレン系樹脂やシクロポリオレフィン系樹脂を含むポリオレフィン系樹脂、ポリ塩化ビニル系樹脂、ポリエチレンテレフタレート系樹脂やポリエチレンテレフタレート系樹脂を含むポリエステル系樹脂、ポリビニルアルコール系樹脂、アクリル系樹脂、スチレン−アクリル共重合体、スチレン−アクリロニトリル共重合体、ウレタン系樹脂、エポキシ系樹脂、ポリエーテルスルホン系樹脂、ポリスルフォン系樹脂などの樹脂、ガラスなどが挙げられる。
【００２３】
保護フィルム１２を形成する材料は、光学機能面１１Ｓ１を保護する機能を発現する材料であれば特に限定されない。保護フィルム１２を形成する材料には、例えば、ポリエチレン系樹脂やポリプロピレン系樹脂やシクロポリオレフィン系樹脂を含むポリオレフィン系樹脂、ポリエチレンテレフタレート系樹脂やポリエチレンナフタレート系樹脂を含むポリエステル系樹脂、ポリカーボネート系樹脂、ポリビニルアルコール系樹脂、ポリ塩化ビニル系樹脂、ナイロン系樹脂、ポリスチレン系樹脂、ポリアセチルアセテート系樹脂など挙げられる。なお、保護フィルム１２には、シリカなどの公知のアンチブロッキング剤、酸化防止剤、可塑剤、潤剤、帯電防止剤が配合されてもよい。
【００２４】
粘着層１２Ｔを形成する粘着剤には、例えば、エチレン酢酸ビニル共重合体系樹脂、ポリエステル系樹脂、アセテート系樹脂、ポリエーテルサルホン系樹脂、ポリカーボネート系樹脂、ポリアミド系樹脂、ポリイミド系樹脂、ポリオレフィン系樹脂、アクリル系樹脂が挙げられる。なお、粘着層１２Ｔには、光学部品１１と保護フィルム１２とを接着する機能を有する範囲において、粘着剤以外の任意成分が含まれていてもよい。
【００２５】
以上、上記実施形態によれば以下に列記する効果が得られる。
（１）保護フィルム１２と裏面１１Ｓ２との密着する強度が、保護フィルム１２と光学機能面１１Ｓ１との密着する強度よりも高いため、保護フィルム１２が裏面１１Ｓ２から剥がされるとき、２つの貼着端部１２Ｂの各々が裏面１１Ｓ２から剥がされる。この際に、光学機能面１１Ｓ１は依然として保護フィルム１２に保護され続ける。それゆえに、保護フィルム１２の剥離時においては、保護フィルム１２を把持する利用者の指などが誤って光学構造１１Ａ１に直接触れることが抑えられる。結果として、保護フィルム１２の剥離時における光学機能面１１Ｓ１の保護性が高められる。
【００２６】
（２）光学機能面１１Ｓ１を覆う保護フィルム１２が、光学機能面１１Ｓ１から裏面１１Ｓ２に向けて折り返されて裏面１１Ｓ２に貼り着けられるため、光学部品１１が反る方向への張力を光学部品１１は保護フィルム１２から受ける。この点で、光学部品１１が厚みを有した板形状を有し、かつ、光学部品１１の引張り弾性率が０．３ＧＰａ以上であるから、こうした張力による歪みが光学部品１１において抑えられる。結果として、光学部品１１における光学機能の保護性が高められ、かつ、板形状を有する光学部品１１に適した包装の形態を提供することが可能である。
（３）光学部品１１の引張り弾性率が１．０ＧＰａ以上であるから、上記（２）に準じた効果がさらに高められる。
【００２７】
（４）光学構造１１Ａ１における凸部の平均間隔は、光学構造１１Ａ１において凹凸の繰り返される周期であり、光学部品包装体の使用環境下における光の波長以下である。それゆえに、光学部品包装体の使用環境下における光の反射を光学部品が抑えられ、こうした光学的な機能を有する光学部品に対し、光学機能面１１Ｓ１の保護性が高められる。
【００２８】
なお、上記実施形態は以下のように変更して実施することができる。
［第１変形例］
・２つの貼着端部１２Ｂの少なくとも一方が貼り着けられる被貼着面は、光学部品１１の裏面１１Ｓ２に限らず、光学部品１１の側面１１Ｓ３であってもよいし、あるいは、裏面１１Ｓ２と側面１１Ｓ３との両方であってもよい。さらに、貼着端部１２Ｂごとに被貼着面が異なっていてもよい。
【００２９】
なお、保護フィルム１２は、光学部品１１の側面１１Ｓ３の中で、１組の平面と他の１つの平面とにおいて折り曲げられた３つの貼着端部１２Ｂを備えてもよいし、２組の平面の各々において折り曲げられる４つの貼着端部１２Ｂを備えてもよい。この際に、２つ以上の貼着端部１２Ｂの少なくとも１つが貼り着けられる被貼着面もまた、光学部品１１の裏面１１Ｓ２に限らず、光学部品１１の側面１１Ｓ３であってもよいし、あるいは、裏面１１Ｓ２と側面１１Ｓ３との両方であってもよい。そして、貼着端部１２Ｂごとに被貼着面が異なっていてもよい。
【００３０】
例えば、図２が示すように、保護フィルム１２は、光学部品１１の光学機能面１１Ｓ１を覆う被覆部１２Ａと、光学部品１１の側面１１Ｓ３における１組の平面を覆う２つの貼着端部１２Ｂとを備えている。２つの貼着端部１２Ｂの各々における縁は、被貼着面の一例である側面１１Ｓ３と対向し、保護フィルム１２は裏面１１Ｓ２と対向する部分を有していない。２つの貼着端部１２Ｂの各々において側面１１Ｓ３と対向する面には、側面１１Ｓ３に対する粘着性を有した粘着層１２Ｔが備えられている。粘着層１２Ｔは側面１１Ｓ３に貼り着けられ、保護フィルム１２と側面１１Ｓ３との密着する強度を、保護フィルム１２と光学機能面１１Ｓ１との密着する強度よりも高める。これによって、保護フィルム１２は光学部品１１に対して位置決めされている。
【００３１】
上述した保護フィルム１２の貼り着けであれば、保護フィルム１２が裏面１１Ｓ２に向けて折り曲げられていない分だけ、保護フィルム１２の有する長さを短くすること、ひいては、光学部品包装体に必要とされる保護フィルム１２のサイズを抑えることが可能である。
【００３２】
なお、板形状を有する光学部品１１においては、側面１１Ｓ３の有する面積が、裏面１１Ｓ２の有する面積よりも十分に小さい。上述した実施形態における光学部品包装体のように、貼着端部１２Ｂが裏面１１Ｓ２に貼り着けられる構成であれば、第１変形例の光学部品包装体と比べて、光学部品１１と保護フィルム１２との間の接着の強度が高められ、また、保護フィルム１２の貼り着けられる部位の自由度が光学部品１１において高められる。これに準じた効果は、上述した実施形態における光学部品包装体に限らず、裏面１１Ｓ２と側面１１Ｓ３との両方に貼着端部１２Ｂが貼り着けられる構成においても得られる。
【００３３】
［第２変形例］
・光学部品１１において２つの貼着端部１２Ｂに覆われる部位は、裏面１１Ｓ２の一部に限らず、２つの貼着端部１２Ｂによって裏面１１Ｓ２の全体が覆われてもよい。なお、保護フィルム１２は、光学部品１１の側面１１Ｓ３の中で、１組の平面と他の１つの平面とにおいて折り曲げられた３つの貼着端部１２Ｂを備えてもよいし、２組の平面の各々において折り曲げられる４つの貼着端部１２Ｂを備えてもよい。この際に、２つ以上の貼着端部１２Ｂに覆われる被貼着面もまた、裏面１１Ｓ２の一部に限らず、２つ以上の貼着端部１２Ｂによって裏面１１Ｓ２の全体が覆われてもよい。
【００３４】
例えば、図３が示すように、保護フィルム１２は、光学部品１１の光学機能面１１Ｓ１、側面１１Ｓ３における１組の平面、および、裏面１１Ｓ２を覆っている。貼着端部１２Ｂにおいて裏面１１Ｓ２と対向する面には、裏面１１Ｓ２に対する粘着性を有した粘着層１２Ｔが備えられている。保護フィルム１２が有する２つの貼着端部１２Ｂは、光学部品１１の裏面１１Ｓ２に貼り着けられ、これによって、保護フィルム１２は光学部品１１に対して位置決めされている。２つの貼着端部１２Ｂの縁同士は、裏面１１Ｓ２において接し、２つの貼着端部１２Ｂは、裏面１１Ｓ２の全体を覆っている。
【００３５】
上述した保護フィルム１２の貼り着けであれば、光学機能面１１Ｓ１の全体に加え、裏面１１Ｓ２の全体も保護フィルム１２によって保護される。それゆえに、光学部品包装体の搬送や保管に際し、光学部品１１に対する保護性を高めることが可能でもある。また、光学機能面１１Ｓ１と裏面１１Ｓ２との両方が保護フィルム１２によって覆われる構成であるため、裏面１１Ｓ２に別途光学的な機能を加えることに適してもいる。
【００３６】
［第３変形例］
・保護フィルム１２が有する２つの貼着端部１２Ｂは、裏面１１Ｓ２において互いに重なってもよい。この際に、２つの貼着端部１２Ｂが互いに貼り着けられる構成であれば、２つの貼着端部１２Ｂの少なくとも一方は、裏面１１Ｓ２に貼り着けられなくともよい。すなわち、貼着端部１２Ｂが光学部品１１に貼り着けられない構成であっても、光学部品１１に保護フィルム１２が接する態様で保護フィルム１２同士が貼り着けられる構成であれば、保護フィルム１２同士の密着する強度が、保護フィルム１２と光学機能面１１Ｓ１との密着する強度よりも高められる。これによっても、光学部品１１に対して保護フィルム１２を位置決めすることは可能である。
【００３７】
なお、保護フィルム１２は、光学部品１１の側面１１Ｓ３の中で、１組の平面と他の１つの平面とにおいて折り曲げられた３つの貼着端部１２Ｂを備えてもよいし、２組の平面の各々において折り曲げられる４つの貼着端部１２Ｂを備えてもよい。この際に、２つ以上の貼着端部１２Ｂの中から選択される少なくとも２つの貼着端部１２Ｂもまた、裏面１１Ｓ２において互いに重なってもよい。そして、２つ以上の貼着端部１２Ｂの少なくとも１つは、裏面１１Ｓ２に貼り着けられなくともよい。
【００３８】
例えば、図４が示すように、保護フィルム１２は、光学部品１１の光学機能面１１Ｓ１、側面１１Ｓ３における１組の平面、および、裏面１１Ｓ２を覆っている。２つの貼着端部１２Ｂの中で一方の貼着端部１２Ｂに重なる他方の貼着端部１２Ｂは、一方の貼着端部１２Ｂと対向する面に、一方の貼着端部１２Ｂに対する粘着性を有した粘着層１２Ｔが備えられている。保護フィルム１２が有する２つの貼着端部１２Ｂは、互いに重なる部分である重畳部１２Ｄにおいて互いに貼り合せられ、保護フィルム１２が光学部品１１に接する態様で保護フィルム１２同士が貼り着けられることによって、保護フィルム１２は光学部品１１に対して位置決めされている。
【００３９】
上述した保護フィルム１２の貼り着けであれば、光学機能面１１Ｓ１の全体に加え、裏面１１Ｓ２の全体も保護フィルム１２によって保護される。それゆえに、光学部品包装体の搬送や保管に際し、光学部品１１に対する保護性を高めることが可能でもある。また、光学機能面１１Ｓ１と裏面１１Ｓ２との両方が保護フィルム１２によって覆われる構成であるため、裏面１１Ｓ２に別途光学的な機能を加えることに適してもいる。特に、光学部品１１と保護フィルム１２とが粘着層を介して接着されない構成を採用することが可能でもあるため、光学部品１１において光学的な機能が付与された部分に粘着剤が付着することを抑えられもする。結果として、光学部品１１に対する光学的な機能の保護性が高められもする。
【００４０】
［第４変形例］
・光学部品１１における裏面１１Ｓ２の少なくとも一部は、平坦面に限らず、段差を有する凹凸面や曲面であってもよい。
例えば、図５が示すように、光学部品１１における裏面１１Ｓ２は、光学構造１１Ａ１と比べて十分に大きい間隔を有した凹凸の繰り返し１１Ａ３が形成されている。裏面１１Ｓ２における凹凸の繰り返し１１Ａ３には、別途光学的な機能が付与されてもよいし、光学部品１１の製造過程における制約から形成されてもよいし、貼着端部１２Ｂとの接着性をアンカー効果によって高める機能が付与されてもよい。
上述した構造を有する裏面１１Ｓ２であれば、光学部品１１の裏面１１Ｓ２に別途機能を付加することが可能でもある。
【００４１】
［第５変形例］
・光学部品１１は、矩形の板形状に限らず、円形の板形状、円盤形状、回転楕円体形状のような回転体形状であってもよい。要は、光学部品１１は、光学構造が形成された光学機能面と、光学機能面とは反対側に位置する被貼着面とを備える構造体であればよい。なお、光学部品１１が回転体形状を有するとき、貼着端部１２Ｂの数は２つであってもよいし、３つ以上であってもよい。
【００４２】
例えば、図６が示すように、光学部品１１において、光学機能面１１Ｓ１と裏面１１Ｓ２とが共に凸曲面形状を有し、光学部品１１は側面１１Ｓ３を有していない。光学機能面１１Ｓ１にはフレネルレンズとして機能する光学構造１１Ａ１が形成されている。
【００４３】
保護フィルム１２は、光学機能面１１Ｓ１を覆う被覆部１２Ａと、光学機能面１１Ｓ１とは反対側に位置する裏面１１Ｓ２に向けて光学機能面１１Ｓ１から折り曲げられた２つの貼着端部１２Ｂとを備えている。２つの貼着端部１２Ｂの各々において裏面１１Ｓ２と対向する面には、粘着性を有した粘着層１２Ｔが備えられている。粘着層１２Ｔは裏面１１Ｓ２に貼り着けられ、これによって、保護フィルム１２は光学部品１１に対して位置決めされている。
【００４４】
上述した光学部品１１を備える光学部品包装体においても、保護フィルム１２が裏面１１Ｓ２から剥がされるとき、光学機能面１１Ｓ１は依然として保護フィルム１２に保護され続ける。それゆえに、上記（１）から（４）の各々に準じた効果が得られる。
【００４５】
・上記第５変形例において、複数の貼着端部１２Ｂは、裏面１１Ｓ２において互いに重なってもよく、この際に、複数の貼着端部１２Ｂが互いに貼り着けられる構成であれば、複数の貼着端部１２Ｂの少なくとも１つは、裏面１１Ｓ２に貼り着けられなくともよい。すなわち、上記第５変形例は、上記第３変形例と組み合わされてもよい。
【００４６】
［第６変形例］
・光学部品１１に対して保護フィルム１２を位置決めする構成は、上記実施形態のように保護フィルム１２を光学部品１１に貼り着けること、および、上記第３変形例のように保護フィルム１２同士を貼り着けることに限らず、別途接着テープを用いてもよい。なお、接着テープは、光学部品１１と保護フィルム１２とを接着してもよいし、保護フィルム１２同士を接着してもよい。
【００４７】
例えば、図７が示すように、保護フィルム１２は、光学部品１１の光学機能面１１Ｓ１、側面１１Ｓ３における１組の平面、および、裏面１１Ｓ２を覆っている。２つの貼着端部１２Ｂは、光学部品１１の裏面１１Ｓ２における各別の部位と対向している。２つの接着テープ１３の各々は、裏面１１Ｓ２に対する粘着性を有した先端部１３Ｔ１と、貼着端部１２Ｂに対する粘着性を有した基端部１３Ｔ２とを備えている。２つの貼着端部１２Ｂの各々は、接着テープ１３によって裏面１１Ｓ２に貼り着けられ、これによって、保護フィルム１２は光学部品１１に対して位置決めされている。
【００４８】
・上記第６変形例において、光学部品１１の裏面１１Ｓ２に貼着端部１２Ｂを固定しないまでも、光学部品１１の裏面１１Ｓ２に対して粘着する粘着層を貼着端部１２Ｂは備えてもよいし、こうした粘着層を備えない構成であってもよい。
【００４９】
・上記第６変形例において、貼着端部１２Ｂは、側面１１Ｓ３のみを覆い、接着テープ１３は、側面１１Ｓ３、および、裏面１１Ｓ２の少なくとも一方と貼着端部１２Ｂとを接着すればよい。
【００５０】
・上記第６変形例において、複数の貼着端部１２Ｂは裏面１１Ｓ２において重なってもよい。この際に、複数の貼着端部１２Ｂの少なくとも１つは、裏面１１Ｓ２に貼り着けられなくともよく、接着テープによって互いに貼り着けられる構成であればよい。
【００５１】
［光学部品１１］
・光学部品１１の有する形状は、矩形の板形状に限らず、例えば、円盤形状であってもよいし、楕円盤形状であってもよいし、光学部品１１の適用される用途に合わせて適宜変更することができる。
・光学部品１１の有する光学機能面は、平面形状に限らず、例えば、曲面形状であってもよいし、平面形状と曲面形状との組み合わせであってもよい。
【００５２】
・光学機能面１１Ｓ１は、光学構造１１Ａ１を有していればよく、光学構造１１Ａ１が光学機能面１１Ｓ１の縁の一部にまで広がっていてもよいし、光学構造１１Ａ１が光学機能面１１Ｓ１の全体に広がっていてもよい。すなわち、平坦部１１Ａ２の少なくとも一部が割愛されてもよい。
【００５３】
・光学機能面１１Ｓ１において、光学構造１１Ａ１を構成する凸部の先端は、平坦部よりも光学部品１１の外側に向けて突き出てもよいし、光学構造１１Ａ１を構成する凸部における先端の少なくとも一部が、平坦部１１Ａ２よりも窪んでいてもよい。また、光学構造１１Ａ１を構成する全ての凸部の先端が、平坦部１１Ａ２よりも窪んでいてもよい。
【００５４】
・裏面１１Ｓ２は、光学構造１１Ａ１とは異なる凹凸構造を有し、この凹凸構造によって光学的な機能を発現させる面であってもよい。この際に、利用者の指などの接触に対する耐性は、光学機能面１１Ｓ１よりも裏面１１Ｓ２において十分に高い構造であればよい。例えば、裏面１１Ｓ２の有する凸部の平均間隔が、光学構造１１Ａ１の有する凸部の平均間隔よりも十分に大きい構成であればよい。このように両面に凹凸構造を有する光学部品１１においても、保護されるべき度合いの高い面である光学機能面１１Ｓ１は少なからず保護される。
【００５５】
［保護フィルム１２］
・保護フィルム１２における被覆部１２Ａは、光学構造１１Ａ１と対向する面に粘着層を備え、被覆部１２Ａの粘着層が光学構造１１Ａ１に貼り着けられてもよい。また、保護フィルム１２における被覆部１２Ａは、平坦部１１Ａ２と対向する面に粘着層を備え、被覆部１２Ａの粘着層が平坦部１１Ａ２に貼り着けられてもよい。保護フィルム１２は、光学部品１１の側面と対向する面に粘着層を備え、この粘着層が側面に貼り着けられてもよい。
【００５６】
すなわち、保護フィルム１２は、光学構造１１Ａ１と対向する面、平坦部１１Ａ２と対向する面、および、側面１１Ｓ３と対向する面の少なくとも１つに粘着層を備え、貼着端部１２Ｂ以外の部位においても光学部品１１に貼り着けられてもよい。そして、貼着端部１２Ｂが光学部品１１に貼り着けられる強さが、貼着端部１２Ｂ以外の部分における貼り着けの強さよりも大きければよい。
【００５７】
なお、保護フィルム１２の粘着層が光学構造１１Ａ１に貼り着けられない構成であれば、光学構造１１Ａ１において互いに隣り合う凸部間に粘着剤が入り込むことが抑えられる。それゆえに、光学構造１１Ａ１の本来有する光学的な機能が保護フィルム１２の貼り着けによって低下することが抑えられる。
【００５８】
・保護フィルム１２は、光学部品１１の側面１１Ｓ３の全体にわたって側面１１Ｓ３を覆い、かつ、裏面１１Ｓ２における周方向の全体にわたって裏面１１Ｓ２に貼り着けられてもよい。裏面１１Ｓ２における周方向の全体にわたって保護フィルム１２が貼り着けられる構成であれば、光学構造１１Ａ１が外部からの異物によって汚染されることがさらに抑えられる。なお、裏面１１Ｓ２における周方向の一部にのみ保護フィルム１２が貼り着けられる構成においては、光学部品包装体の製造に要する手間が軽減される。
【００５９】
・保護フィルム１２は、光を透過する光透過性を有していてもよいし、光を遮光する遮光性を有していてもよい。また、保護フィルム１２は、水分などを透過するガス透過性を有していてもよいし、水分などを遮断するガスバリア性を有していてもよい。これら保護フィルム１２が備える保護機能以外の機能は、光学部品１１に適した範囲の中から適宜選択されるものである。
【符号の説明】
【００６０】
１１…光学部品、１１Ａ１…光学構造、１１Ａ２…平坦部、１１Ｓ１…光学機能面、１１Ｓ２…裏面、１１Ｓ３…側面、１２…保護フィルム、１２Ｂ…貼着端部、１２Ｔ…粘着層、１２Ｄ…重畳部、１３…貼着テープ。
【図１】
2016141471.tif 000003
【図２】
2016141471.tif 000004
【図３】
2016141471.tif 000005
【図４】
2016141471.tif 000006
【図５】
2016141471.tif 000007
【図６】
2016141471.tif 000008
【図７】
2016141471.tif 000009